(57)【要約】      （修正有）【課題】ハサミやカッターなどの刃物を使用することなく、封筒や収容物に損傷を与えることもなく、容易に開封することができる封筒を提供する。【解決手段】封筒１０は、袋状の封筒本体３の開口部４を封緘するためのフラップ５の上縁部５ａ側から離れた位置に開口部の長手方向４Ｌに沿って付設された開封テープ６と、開封テープの両サイドに開封テープの長さ方向に沿って設けられたミシン目７、８と、を備え、フラップの裏面側には、上縁部５ａと一方のミシン目７との間の領域に、開口部の長手方向と平行をなすテープ状の粘着面９が設けられている。【選択図】図１
0003226180.tif 000002
【実用新案登録請求の範囲】
【請求項１】
袋状の封筒本体の開口部を封緘するためのフラップの前記開口部から前記フラップの上縁部側に離れた位置に前記開口部の長手方向に沿って付設された開封テープと、
前記開封テープの両サイドに前記開封テープの長さ方向に沿って設けられたミシン目若しくは破断線と、を備えた封筒。
【請求項２】
前記フラップの少なくとも一方の側縁部寄りの領域に、少なくとも一方の前記ミシン目若しくは前記破断線の一部から前記側縁部に至る補助ミシン目若しくは補助破断線を設けた請求項１記載の封筒。
【請求項３】
前記補助ミシン目若しくは前記補助破断線の長手方向の形状が、直線状若しくは曲線状をなす請求項２記載の封筒。
【請求項４】
前記フラップの少なくとも一方の側縁部寄りの領域に、一方の前記ミシン目若しくは前記破断線の一部から前記開封テープを横断して他方の前記ミシン目若しくは前記破断線に至る切れ目を設けた請求項１記載の封筒。
【請求項５】
前記切れ目の長手方向の形状が、Ｃ字形状、横転Ｕ字形状若しくは横転Ｖ字形状をなす請求項４記載の封筒。
【請求項６】
前記フラップに、前記ミシン目若しくは破断線の存在位置を示す表示手段を設けた請求項１〜５の何れかの項に記載の封筒。
【考案の詳細な説明】
【技術分野】
【０００１】
本考案は、カタログ、パンフレットあるいは各種文書類などを収容するための封筒に関する。
【背景技術】
【０００２】
ＯＰＰ製あるいはＣＰＰ製の封筒に収容された状態で送付されてくるダイレクトメールやパンフレットなどを開封する場合、ハサミやカッターなど使用すれば容易かつ綺麗に開封することができるが、ハサミやカッターなどが手近にないときは、封緘された部分を手指で開いたり、封筒の一部を強引に破ったりすることが多い。
【０００３】
しかしながら、ＯＰＰ製あるいはＣＰＰ製の封筒は手指のみの力では簡単に破れず、また、意図していた部分と異なる部分が大きく破断して、封筒の外観や機能を損なったり、収容物（封筒の中身）を破損したりすることも少なくない。
【０００４】
そこで、従来、ハサミやカッターなどの刃物を使用しなくても簡単に開封することができる工夫が施された様々な封筒が提案されているが、本考案に関連するものとして、例えば、特許文献１に記載された「封筒の簡単な開封装置」、特許文献２に記載された「開封の便利な封筒」あるいは特許文献３に記載された「フィルム封筒」などがある。
【０００５】
特許文献１〜３に記載されている封筒は、封筒本体の開口部を封緘するためのフラップに、引き裂き用のテープやミシン目の一方あるいはその両方が設けられているので、ハサミやカッターなどの刃物を使用することなく、開封することができるという長所がある。
【先行技術文献】
【特許文献】
【０００６】
【特許文献１】実開昭６０−１５４１９４号公報
【特許文献２】特開昭６３−１２５１５７号公報
【特許文献３】実開平２−４００４０号公報
【考案の概要】
【考案が解決しようとする課題】
【０００７】
前述したように、特許文献１〜３に記載されている封筒は、封筒本体の開口部を封緘するためのフラップに、引き裂き用のテープやミシン目の一方あるいはその両方が設けられているので、ハサミやカッターなどの刃物を使用することなく開封することができる点においては優れているが、開封作業は意外と困難であるのが実状である。
【０００８】
具体的には、特許文献１〜３に記載されている封筒を開封するときは最初にテープの端部を手指で摘まんだり、ミシン目近傍のフラップと封筒本体との隙間に指先を差し込んだりしなければならないが、テープの端部は小さく、フラップと封筒本体との隙間も狭いので、細かい手作業が必要であり、手間も要している。
【０００９】
また、テープの端部を手指で摘まんで引っ張ったり、フラップと封筒本体との隙間に指先を差し込んで広げたりする作業に失敗し、引き裂き用のテープやミシン目以外の部分から破れ始めたり、開封途中からテープやミシン目以外の部分まで破れが広がったりすることも多い。
【００１０】
そこで、本考案が解決しようとする課題は、ハサミやカッターなどの刃物を使用することなく容易に開封することができ、開封時に封筒本体や収容物に損傷を与えない、封筒を提供することにある。
【課題を解決するための手段】
【００１１】
本考案に係る封筒は、袋状の封筒本体の開口部を封緘するためのフラップの前記開口部から前記フラップの上縁部側に離れた位置に前記開口部の長手方向に沿って付設された開封テープと前記開封テープの両サイドに前記開封テープの長さ方向に沿って設けられたミシン目若しくは破断線と、を備えたことを特徴とする。
【００１２】
前記封筒においては、前記フラップの少なくとも一方の側縁部寄りの領域に、少なくとも一方の前記ミシン目若しくは前記破断線の一部から前記側縁部に至る補助ミシン目若しくは補助破断線を設けることができる。
【００１３】
前記封筒においては、前記補助ミシン目若しくは前記補助破断線の長手方向の形状が、直線状若しくは曲線状をなすようにすることができる。
【００１４】
前記封筒においては、前記フラップの少なくとも一方の側縁部寄りの領域に、一方の前記ミシン目若しくは前記破断線の一部から前記開封テープを横断して他方の前記ミシン目若しくは前記破断線に至る切れ目を設けることができる。
【００１５】
前記封筒においては、前記切れ目の長手方向の形状が、Ｃ字形状、横転Ｕ字形状若しくは横転Ｖ字形状をなすようにすることができる。
【００１６】
前記封筒においては、前記フラップに、前記ミシン目若しくは破断線の存在位置を示す表示手段を設けることもできる。
【考案の効果】
【００１７】
本考案により、ハサミやカッターなどの刃物を使用することなく容易に開封することができ、開封時に封筒本体や収容物に損傷を与えない、封筒を提供することができる。
【図面の簡単な説明】
【００１８】
【図１】本考案の実施形態である封筒を示す一部省略裏面図であり、（ａ）は封緘前の状態を示し、（ｂ）は封緘後の状態を示している。
【図２】本考案のその他の実施形態である封筒を示す一部省略裏面図であり、（ａ）は封緘前の状態を示し、（ｂ）は封緘後の状態を示している。
【図３】図２（ａ）の拡大図である。
【図４】本考案のその他の実施形態である封筒を示す一部省略裏面図であり、封緘後の状態を示している。
【図５】本考案のその他の実施形態である封筒を示す一部省略裏面図であり、（ａ）は封緘前の状態を示し、（ｂ）は封緘後の状態を示している。
【図６】本考案のその他の実施形態である封筒を示す一部省略裏面図であり、（ａ）は封緘前の状態を示し、（ｂ）は封緘後の状態を示している。
【図７】本考案のその他の実施形態である封筒を示す一部省略裏面図であり、（ａ）は封緘前の状態を示し、（ｂ）は封緘後の状態を示している。
【図８】本考案のその他の実施形態である封筒を示す一部省略裏面図であり、（ａ）は封緘前の状態を示し、（ｂ）は封緘後の状態を示している。
【考案を実施するための形態】
【００１９】
以下、図１〜図８に基づいて本考案の実施形態である封筒１０，２０，３０，４０，５０，６０，７０について説明する。
【００２０】
初めに、図１に基づいて、封筒１０について説明する。図１（ａ）に示すように、封筒１０は、表面部材１と裏面部材２とを重ね合わせ周縁部（側縁部３ａ，３ｂ及び底縁部３ｃ）を貼着することによって構成された袋状の封筒本体３と、封筒本体３の開口部４を封緘するため、表面部材１の上方部分を裏面部材２の上縁部２ａより延設して形成されたフラップ５と、を備えている。
【００２１】
フラップ５において開口部４からフラップ５の上縁部５ａ側に離れた位置に開口部４の長手方向４Ｌに沿って開封テープ６が付設され、開封テープ６の両サイドに開封テープ６の長さ方向に沿ってミシン目７，８が設けられている。開封テープ６は、後述する粘着面９の開口部４寄りの側縁部９ｂと上縁部２ａとの間隔Ｆの中間部分に付設されているが、この位置に限定するものではない。また、開封テープ６の幅６ｗやミシン目７，８の配置間隔Ｗは限定しないので、封筒１０のサイズ、材質、用途などに応じて任意に設定することができる。
【００２２】
フラップ５の裏面側（裏面部材２側）において、フラップ５の上縁部５ａと一方のミシン目７との間の領域に、開口部４の長手方向４Ｌと平行をなすテープ状の粘着面９が設けられている。粘着面９の幅（側縁部９ａ，９ｂ間の距離）や糊の種類なども限定しないので、封筒１０の材質、サイズ、用途などに応じて任意に設定することができる。封筒１０が、図１（ａ）に示す封緘前の状態にあるとき、粘着面９は剥離可能な保護シート（図示せず）で覆われている。
【００２３】
図１（ａ）に示す封緘前の封筒１０の開口部４から封筒本体３内へ収容物を差し入れた後、保護シート（図示せず）を剥離して粘着面９を露出させ、表面部材１を上縁部２ａ近傍にて折り曲げことにより、フラップ５の粘着面９を裏面部材２に貼り付けると、封筒１０は、図１（ｂ）に示す封緘状態となる。なお、折り曲げ位置は前述した上縁部２ａ近傍に限定しないので、収容物のサイズや分量などに応じて、底縁部３ｃ寄りの位置（例えば、二点鎖線Ｂ１，Ｂ２などの位置）を折り曲げ位置とすることもできる。
【００２４】
図１（ｂ）に示す封緘状態にある封筒１０において、同図中の封筒１０の右側部分のフラップ５の側縁部５ｃと封筒本体３の側縁部３ａとが重なり合った部分、並びに、同図中の封筒１０の左側部分のフラップ５の側縁部５ｂと封筒本体３の側縁部３ｂとが重なり合った部分における間隔Ｆで示す範囲内には開閉可能な隙間が存在している。また、間隔Ｆで示す部分の寸法は人間の指先が挿入可能な寸法が確保されている。
【００２５】
従って、図１（ｂ）に示す封緘状態にある封筒１０を開封するときは、同図中の封筒１０の右側部分のフラップ５の側縁部５ｃと封筒本体３の側縁部３ａとが重なり合った部分、または、同図中の封筒１０の左側部分のフラップ５の側縁部５ｂと封筒本体３の側縁部３ｂとが重なり合った部分における間隔Ｆで示す範囲内に指先を差し込み、開封テープ６の端部とともにフラップ５の側縁部５ｂまたは５ｃを手指で摘まんで開封テープ６を引っ張れば、ミシン目７，８に沿ってフラップ５が引き裂かれ、封筒１０が開封される。
【００２６】
このように、封筒１０は、ハサミやカッターなどの刃物を使用することなく、容易に開封することができる。また、開封作業の際には、ミシン目７，８に沿ってフラップ５が破断されるので、封筒や収容物に損傷を与えることもない。なお、封筒１０においては、フラップ５にミシン目７，８を設けているが、これに限定しないので、破断線など、フラップ５に引っ張り力が加えられたときにフラップ５の他の部分より優先して破断が開始（進行）する手段を設けることができる。
【００２７】
次に、図２，図３に基づいて、その他の実施形態である封筒２０について説明する。なお、図２，図３に示す封筒２０並びに後述する図４〜図８に示す封筒３０，４０，５０，６０，７０において、図１に示す封筒１０を構成する部分と共通する部分については、図１中に示す符号と同符号を付して説明を省略している箇所がある。
【００２８】
図２に示すように、封筒２０においては、フラップ５の左右両方の側縁部５ｂ，５ｃ寄りの領域に、ミシン目７，８の一部からそれぞれ側縁部５ｂ，５ｃに至る補助ミシン目２１，２２，２３，２４が設けられている。補助ミシン目２１，２２，２３，２４の長手方向の形状は直線状をなしている。
【００２９】
図３に示すように、補助ミシン目２４とミシン目８との成す角度Ｒは限定しないので、任意に設定することができ（補助ミシン目２１，２２，２３についても同様）、補助ミシン目２４とミシン目８との交点からフラップ５の側縁部５ｃまでの距離Ｄも限定しないので、任意に設定することができる（補助ミシン目２１，２２，２３についても同様である）。
【００３０】
補助ミシン目２１，２２，２３，２４を設けたことにより、開封作業の開始時に、フラップ５の側縁部５ｂと封筒本体３の側縁部３ｂとの隙間、あるいは、フラップ５の側縁部５ｃと封筒本体３の側縁部３ａとの隙間に指先を差し込み、開封テープ６の端部をフラップ５の一部とともに摘まんで引っ張れば、ミシン目７，８の端部だけでなく、補助ミシン目２１，２２，２３，２４の端部４ケ所が破断開始点となるので、開封作業の容易化に有効である。
【００３１】
本実施形態の封筒２０においては、４ケ所の補助ミシン目２１，２２，２３，２４を設けているが、これに限定しないので、補助ミシン目２１，２２，２３，２４のうちの何れか１ケ所のみ若しくは２〜３ケ所設けることもできる。また、補助ミシン目２１，２２，２３，２４の代わりに、フラップ５において他の部分より優先的に破断する補助破断線（図示せず）を設けることもできる。
【００３２】
次に、図４に基づいて、その他の実施形態である封筒３０について説明する。図４に示す封筒３０においては、フラップ５の一方の側縁部５ｃ寄りの領域に、ミシン目７，８の一部からそれぞれ側縁部５ｃに至る直線状の補助ミシン目２２，２４が設けられ、補助ミシン目２２，２４の存在位置を示すための表示手段である表示線３２，３４が、封緘状態におけるフラップ５の露出面５ｄに補助ミシン目２２，２４に沿って設けられている。また、フラップ５の露出面５ｄにおける表示線３２，３４で挟まれた領域には、開封テープ６の引っ張り方向を示す複数のく字状印刷３１，３３，３５が設けられている
【００３３】
表示線３２，３４を見ると補助ミシン目２２，２４の存在位置を直ちに視認することができ、く字状印刷３１，３３，３５を見ると開封テープ６の引っ張り方向が直ちに把握することができるので、封筒３０の開封作業の容易化に有効である。補助ミシン目２２，２４の代わりに補助破断線(図示せず)を設け、当該補助破断線に沿って表示線３２，３４並びにく字状印刷３１，３３，３５を設けることもできる。
【００３４】
本実施形態の封筒３０においては、フラップ５の一方の側縁部５ｃ寄りの領域の補助ミシン目２２，２４に沿って表示線３２，３４並びにく字状印刷３１，３３，３５が設けられているが、これに限定しないので、フラップ５の他方の側縁部５ｂ寄りの領域のみに側縁部５ｂに至る直線状の補助ミシン目（図示せず）を設け、当該補助ミシン目に沿って表示線並びにく字状印刷を設けることができ、また、両方の側縁部５ｂ，５ｃ寄りの領域に表示線並びにく字状印刷を設けることもできる。
【００３５】
次に、図５に基づいて、その他の実施形態である封筒４０について説明する。図５（ａ）に示すように、封筒４０においては、フラップ５の左右両方の側縁部５ｂ，５ｃ寄りの領域に、ミシン目７，８の一部からそれぞれ側縁部５ｂ，５ｃに至る補助ミシン目４１，４２，４３，４４が設けられている。補助ミシン目４１，４２，４３，４４の長手方向の形状は曲線状をなしている。
【００３６】
補助ミシン目４１，４２，４３，４４の曲率や長さなどは限定しないので、任意に設定することができ、補助ミシン目４１，４２，４３，４４の代わりに、曲線状の補助破断線（図示せず）を設けることもできる。
【００３７】
封筒４０において補助ミシン目４１，４２，４３，４４を設けたことにより、図２示す補助ミシン目２１，２２，２３，２４と同様、補助ミシン目４１，４２，４３，４４の端部が破断開始点となるので、図５（ｂ）に示す封緘後の封筒４０の開封作業を容易化することができる。なお、補助ミシン目４１，４２，４３，４４のうちの何れか１ケ所のみを設けたり、２〜３ケ所への曲線状の補助ミシン目を設けたりすることもできる。
【００３８】
次に、図６に基づいて、その他の実施形態である封筒５０について説明する。図６（ａ）に示すように、封筒５０においては、フラップ５の左右両方の側縁部５ｂ，５ｃ寄りの領域にミシン目７（８）の一部から開封テープ６を横断して他方のミシン目８（７）至るＣ字状の切れ目５１，５２が設けられている。
【００３９】
図６（ｂ）示す封緘後の封筒５０の開封作業を行う場合、Ｃ字状の切れ目５１，５２の何れか一方の内周側に位置するフラップ５の一部を引き起こし、この部分を手指で摘まんで引っ張れば、開封テープ６の両サイドのミシン目７，８に沿って破断が開始するので、封筒５０の開封作業を容易化することができる。
【００４０】
なお、封筒５０においては、フラップ５の左右両方の側縁部５ｂ，５ｃ寄りの領域にＣ字状の切れ目５１，５２を設けているが、これに限定しないので、一方の側縁部５ｂ若しくは５ｃのみに、切れ目５１若しくは５２を設けることもできる。
【００４１】
次に、図７に基づいて、その他の実施形態である封筒６０について説明する。図７（ａ）に示すように、封筒６０においては、フラップ５の左右両方の側縁部５ｂ，５ｃ寄りの領域にミシン目７（８）の一部から開封テープ６を横断して他方のミシン目８（７）至る横転Ｕ字状（舌片状）の切れ目６１，６２が設けられている。
【００４２】
図７（ｂ）示す封緘後の封筒６０の開封作業を行う場合、横転Ｕ字状の切れ目６１，６２の何れか一方の内周側に位置するフラップ５の一部を引き起こし、この部分を手指で摘まんで引っ張れば、開封テープ６の両サイドのミシン目７，８に沿って破断が開始するので、封筒６０の開封作業を容易化することができる。
【００４３】
封筒６０においては、フラップ５の左右両方の側縁部５ｂ，５ｃ寄りの領域に横転Ｕ字状の切れ目６１，６２を設けているが、これに限定しないので、一方の側縁部５ｂ若しくは５ｃのみに、横転Ｕ字状の切れ目６１若しくは６２を設けることもできる。
【００４４】
次に、図８基づいて、その他の実施形態である封筒７０について説明する。図８（ａ）に示すように、封筒７０においては、フラップ５の左右両方の側縁部５ｂ，５ｃ寄りの領域にミシン目７（８）の一部から開封テープ６を横断して他方のミシン目８（７）至る横転Ｖ字状の切れ目７１，７２が設けられている。
【００４５】
図８（ｂ）示す封緘後の封筒６０の開封作業を行う場合、横転Ｖ字状の切れ目７１，７２の何れか一方の内周側に位置するフラップ５の一部を引き起こし、この部分を手指で摘まんで引っ張れば、開封テープ６の両サイドのミシン目７，８に沿って破断が開始するので、封筒７０の開封作業を容易化することができる。
【００４６】
封筒７０においては、フラップ５の左右両方の側縁部５ｂ，５ｃ寄りの領域に横転Ｖ字状の切れ目７１，７２を設けているが、これに限定しないので、一方の側縁部５ｂ若しくは５ｃのみに、切れ目７１若しくは７２を設けることもできる。
【００４７】
前述した封筒１０，２０，３０，４０，５０，６０，７０の材質は限定しないので収容物の種類、サイズ、形状などに応じて任意の材料を使用することができるが、例えば、ＯＰＰ製フィルム材やＣＰＰフィルム材などを好適に使用することでできる。なお、前記「ＯＰＰ」は「二軸延伸ポリプロピレン」を略記したものであり、前記「ＣＰＰ」は「無延伸ポリプロピレン」を略記したものである。
【００４８】
なお、図１〜図８に基づいて説明した封筒１０，２０，３０，４０，５０，６０，７０は、本考案に係る封筒を例示するものであり、本考案に係る封筒は前述した封筒１０，２０，３０，４０，５０，６０，７０に限定されなるものではない。
【産業上の利用可能性】
【００４９】
本考案に係る封筒は、カタログ、パンフレットあるいは各種文書類などを収容する資材としてダイレクトメールや郵便物を取り扱う各種流通産業の分野などにおいて広く利用することができる。
【符号の説明】
【００５０】
１  表面部材
２  裏面部材
２ａ，５ａ  上縁部
３  封筒本体
３ａ，３ｂ，５ｂ，５ｃ  側縁部
３ｃ  底縁部
４  開口部
４Ｌ  長手方向
５  フラップ
５ｄ  露出面
６  開封テープ
６ｗ  幅
７，８  ミシン目（破断線）
９  粘着面
１０，２０，３０，４０，５０，６０，７０  封筒
２１，２２，２３，２４，４１，４２，４３，４４  補助ミシン目
３１，３３，３５  く字状印刷
３２，３４  表示線
５１，５２  Ｃ字状の切れ目
６１，６２  横転Ｕ字状の切れ目
７１，７２  横転Ｖ字状の切れ目
Ｄ  距離
Ｆ  間隔
Ｒ  角度
Ｗ  配置間隔
【図１】
0003226180.tif 000003
【図２】
0003226180.tif 000004
【図３】
0003226180.tif 000005
【図４】
0003226180.tif 000006
【図５】
0003226180.tif 000007
【図６】
0003226180.tif 000008
【図７】
0003226180.tif 000009
【図８】
0003226180.tif 000010